(57)【要約】      （修正有）【課題】製造コスト及び運搬コストを軽減させると共に、その取り扱いが容易な木製残存型枠用掛金具を提供する。【解決手段】固着具挿通孔１３を備えた基部１５の一端に立上り部１７を設け、立上り部の上部に折返し部１９を形成してなる。折返し部は、板状体２１の両側縁２１ａ、２１ｂを折返し部の外方に折り重ねてなる。基部と立上り部との間の折曲部２３にリブ２５を設ける。基部の他端を略半円形状に形成する。【選択図】図１
0003156548.tif 000002
【実用新案登録請求の範囲】
【請求項１】
固着具挿通孔を備えた基部の一端に立上り部を設け、該立上り部の上部に折返し部を形成してなる木製残存型枠用掛金具において、
前記折返し部は、板状体の両側縁を該折返し部の外方に折り重ねてなることを特徴とする木製残存型枠用掛金具。
【請求項２】
前記基部と前記立上り部との間の折曲部にリブを設けたことを特徴とする請求項１に記載の木製残存型枠用掛金具。
【請求項３】
前記基部の他端を略半円形状に形成したことを特徴とする請求項１又は２に記載の木製残存型枠用掛金具。
【考案の詳細な説明】
【技術分野】
【０００１】
本考案は、木製残存型枠用掛金具に関するものであり、更に詳しくは、木製残存型枠を形成する際に形鋼等の支持部材に棒状木材を固着するために使用される掛金具に係るものである。
【背景技術】
【０００２】
木製残存型枠は、例えば、土砂の崩壊防止用等のコンクリート構造物を形成する際にコンクリート打設用の型枠として用いられるものであり、コンクリートの硬化後も除去されることなく引き続き該コンクリート構造物の表面に残存させるようにしたものである。
【０００３】
木製残存型枠は、本出願人が出願した実用新案登録第３１０６２１１号公報に開示されているように、複数本の棒状木材を並列させた状態で形鋼等の支持部材に固着させてなるものである。
【０００４】
上記実用新案登録第３１０６２１１号の公報においては、棒状木材を支持部材に固着させるために、図８に示すように、固着具挿通孔１を備えた略長方形状の基部３の一端に立上り部５を設け、該立上り部５の上部に折返し部７を形成してなる木製残存型枠用掛金具９（以下「従来の木製残存型枠用掛金具」という。）が用いられている。
【先行技術文献】
【特許文献】
【０００５】
【特許文献１】実用新案登録第３１０６２１１号公報
【考案の概要】
【考案が解決しようとする課題】
【０００６】
しかるに、上記従来の木製残存型枠用掛金具においては、次のような問題がある。
【０００７】
（イ）木製残存型枠用掛金具の折返し部は、支持部材における立上り壁に係止するものであり、該折返し部には大きな力がかかる。すなわち、該折返し部は図８における鎖線に示す如く立上り部から離れる方向に開くおそれがある。このような折返し部の変形を防止するために、従来の木製残存型枠用掛金具は、全体が厚い材料により形成されている。
【０００８】
しかるに、木製残存型枠用掛金具全体を厚い材料により形成したときには、木製残存型枠用掛金具の重量が大きくなり、製造コスト及び運搬コストが嵩むと共に取り扱いが面倒になる。
【０００９】
（ロ）従来の木製残存型枠用掛金具における基部は、略長方形状をなしているため、該木製残存型枠用掛金具を収納袋内に収納したときに、該収納袋が破れるおそれがあると共に、木製残存型枠の組立中に作業員が手足等に思わぬ怪我をするおそれがある。
【００１０】
本考案は、上記従来の木製残存型枠用掛金具における上述の如き問題を解決し、木製残存型枠用掛金具全体を薄い材料により形成しながらも十分な強度を持たせることにより木製残存型枠用掛金具の製造コスト及び運搬コストを軽減させると共に、その取り扱いを容易ならしめ、更に、木製残存型枠の組立中に作業員が木製残存型枠用掛金具に起因する怪我を負うことのないようにしようとしてなされたものである。
【課題を解決するための手段】
【００１１】
上記課題を解決するために、本考案は、下記の木製残存型枠用掛金具を提供するものである。
【００１２】
（１）固着具挿通孔を備えた基部の一端に立上り部を設け、該立上り部の上部に折返し部を形成してなる木製残存型枠用掛金具において、
前記折返し部は、板状体の両側縁を該折返し部の外方に折り重ねてなることを特徴とする木製残存型枠用掛金具（請求項１）。
【００１３】
「折返し部の外方」とは、折返し部の外側に向かう方向、すなわち、折返し部から図２における符号ａに向かう方向をいう。因みに、折返し部から図２における符号ｂに向かう方向は、折返し部の内方である。
【００１４】
（２）前記基部と前記立上り部との間の折曲部にリブを設ける（請求項２）。
【００１５】
（３）前記基部の他端を略半円形状に形成する（請求項３）。
【考案の効果】
【００１６】
［請求項１の考案］
折返し部は板状体の両側縁を折り重ねてなるため、該折返し部の強度が高まる。したがって、木製残存型枠用掛金具を薄い材料により形成しても差し支えない。すなわち、木製残存型枠用掛金具全体を薄い材料を用いて軽量化したときでも、十分な強度を持たせることができる。その結果、木製残存型枠用掛金具の製造コスト及び運搬コストを軽減させると共に、その取り扱いを容易ならしめることができる。
【００１７】
折返し部は、板状体の両側縁を、該折返し部の内方ではなく、該折返し部の外方に折り重ねてなるため、立上り部を形鋼等の支持部材における立上り壁に密着させることができる。図５、図６参照。すなわち、折返し部は、図３に示す如く、板状体２１の両側縁２１ａ、２１ｂを折り重ねてなるものであるため、該折返し部１９は、折り重ねられた板状体２１の両側縁２１ａ、２１ｂの厚さの分だけ立上り部１７よりも厚くなるのであるが、板状体２１の両側縁２１ａ、２１ｂは該折返し部１９の外方に折り重ねられるため、当該両側縁２１ａ、２１ｂは該折返し部１９の内方には突出しない。その結果、立上り部を形鋼等の支持部材における立上り壁に密着させることができるため、基部の固着具挿通孔の位置を支持部材の立上り壁に接近させることができる。換言すれば、固着具を棒状木材における支持部材に接近させた位置に打ち込むことができる。したがって、棒状木材は支持部材に一層強固に固定される。
【００１８】
［請求項２の考案］
基部と立上り部との間の折曲部にリブを設けたため、木製残存型枠用掛金具の強度は一層向上する。
【００１９】
［請求項３の考案］
基部の他端を略半円形状に形成したため、木製残存型枠用掛金具を収納袋内に収納したときに、該収納袋が破れるおそれがない。また、木製残存型枠の組立中に作業員が手足等に思わぬ怪我をするおそれもない。
【図面の簡単な説明】
【００２０】
【図１】図１は、本考案による木製残存型枠用掛金具の一例を示す斜視図である。
【図２】図２は、同上木製残存型枠用掛金具の断面図である。
【図３】図３は、図２のＩＩＩ−ＩＩＩ線における断面図である。
【図４】図４は、木製残存型枠の一例を示す正面図である。
【図５】図５は、同上木製残存型枠用掛金具の使用状態の一例を示す断面図である。
【図６】図６は、同上木製残存型枠用掛金具の使用状態の別の一例を示す断面図である。
【図７】図７は、木製残存型枠の使用状態の一例を示す断面図である。
【図８】図８は、従来の木製残存型枠用掛金具を示す斜視図である。
【考案を実施するための形態】
【００２１】
本考案の木製残存型枠用掛金具１１は、従来の木製残存型枠用掛金具９と同様に、固着具挿通孔１３を備えた基部１５の一端に立上り部１７を設け、該立上り部１７の上部に折返し部１９を形成してなるものである。
【００２２】
木製残存型枠用掛金具１１は、例えば鉄板等の板状体２１を折曲することにより一体的に形成する。
【００２３】
固着具挿通孔１３に挿通する固着具は、一例としてコーチスクリューとする。また、立上り部１７の上部に形成する折返し部１９は、該立上り部１７の上部を基部１５に臨む側と反対側（図２における右方向）に折り返してなるものである。
【００２４】
しかして、本考案においては、前記折返し部１９は、板状体２１の両側縁２１ａ、２１ｂを該折返し部１９の外方に折り重ねてなるものである。
【００２５】
なお、木製残存型枠用掛金具１１の製造時には、一例として、板状体２１の両側縁２１ａ、２１ｂを該折返し部１９の外方に相当する方向に折り重ねた後、立上り部１７の上部を基部１５に臨む側と反対側（図２における右方向）に折り返すことにより折返し部１９を形成する。
【００２６】
前記基部１５と前記立上り部１７との折曲部２３に好ましくはリブ２５を設ける。図１に示す事例においては、２個のリブ２５が設けられている。
【００２７】
前記基部１５の他端を好ましくは略半円形状に形成する。図１参照。
【００２８】
本考案による木製残存型枠用掛金具１１は、例えば下記の如く使用される。
【００２９】
木製残存型枠３１は、図４に示すように、複数本の丸太等の棒状木材３３、３３・・・を並列させた状態で形鋼等の支持部材３５に固着させてなるものであるが、木製残存型枠用掛金具１１は各棒状木材３３を支持部材３５に固着させるために使用されるものである。
【００３０】
図５に示す事例においては、支持部材３５として溝形鋼が用いられている。支持部材３５の立上り壁３５ａに折り返し部１９を係止させ、基部１５の固着具挿通孔１３に一例としてコーチスクリュー等の固着具３７を挿通させて棒状木材３３に打ち込むことにより、棒状木材３３を支持部材３５に固着させる。
【００３１】
図６に示す事例においては、支持部材３５としてＬ形鋼が用いられている。木製残存型枠用掛金具１１は、図５に示す事例と同様に使用されるが、支持部材３５としてのＬ形鋼における平部３５ｂにはクサビ金具３９が用いられている。クサビ金具３９は固着具挿通孔４１を備えており、該固着具挿通孔４１には一例としてコーチスクリュー等の固着具４３を挿通させて棒状木材３３に打ち込まれる。
【００３２】
図７に示す事例においては、木製残存型枠３１、３１を用いてコンクリート構造物４５が形成されている。
【符号の説明】
【００３３】
１  固着具挿通孔
３  基部
５  立上り部
７  折返し部
９  木製残存型枠用掛金具
１１  木製残存型枠用掛金具
１３  固着具挿通孔
１５  基部
１７  立上り部
１９  折返し部
２１  板状体
２１ａ  側縁
２１ｂ  側縁
２３  折曲部
２５  リブ
３１  木製残存型枠
３３  棒状木材
３５  支持部材
３５ａ  立上り壁
３５ｂ  平部
３７  固着具
３９  クサビ金具
４１  固着具挿通孔
４３  固着具
４５  コンクリート構造物
【図１】
0003156548.tif 000003
【図２】
0003156548.tif 000004
【図３】
0003156548.tif 000005
【図４】
0003156548.tif 000006
【図５】
0003156548.tif 000007
【図６】
0003156548.tif 000008
【図７】
0003156548.tif 000009
【図８】
0003156548.tif 000010